(57)【要約】【課題】使用者の腹部を引き締める際に確実に引き締めることができると共に、使用者がたとえば前屈みになる際などにおいて圧迫感を低減して装着感を向上させることができる矯正用ファンデーションを提供する。【解決手段】腹部に圧迫を加える矯正用ファンデーション１０であって、矯正用ファンデーション１０には、少なくとも腹部から腰部にかけての領域を、装着状態において円筒状に覆う腹部本体２０が形成されており、腹部本体２０には、腹部本体２０の円筒状を形成／解除可能な着脱部２１と、腹部本体２０の腹部当接面に配置された圧迫部２３と、が形成されて、圧迫部２３は、若干の伸縮性を有して圧迫部２３を覆う圧迫本体部３０と、装着状態における左右方向に向かうように配置され、実質的に伸縮性を有さずに左右方向Ｔに向かう脆弱部４１を有するベルト部４０とにより構成されている。【選択図】図１
2006037301.tif 000002
【特許請求の範囲】
【請求項１】
腹部に圧迫を加える矯正用ファンデーションであって、
前記矯正用ファンデーションには、少なくとも前記腹部から腰部にかけての領域を、装着状態において円筒状に覆う腹部本体が形成されており、
前記腹部本体には、
前記腹部本体の前記円筒状を形成／解除可能な着脱部と、
前記腹部本体の腹部当接面に配置された圧迫部と、が形成されて、
前記圧迫部は、
若干の伸縮性を有して前記圧迫部を覆う圧迫本体部と、
装着状態における左右方向に向かうように配置され、実質的に伸縮性を有さずに前記左右方向に向かう脆弱部を有するベルト部と、により構成されていることを特徴とする矯正用ファンデーション。
【請求項２】
前記ベルト部は、前記ベルト部の両端において前記圧迫本体部の両側縁に沿って前記腹部本体の他の素材と一体に縫合されていることを特徴とする請求項１に記載の矯正用ファンデーション。
【請求項３】
前記圧迫本体部は、少なくとも皮膚当接層と外層の二層とされており、前記ベルト部における中間領域は、前記圧迫本体部の前記外層に縫合されていることを特徴とする請求項２に記載の矯正用ファンデーション。
【請求項４】
前記ベルト部は、前記圧迫部における下方領域に配置されていることを特徴とする請求項１に記載の矯正用ファンデーション。
【請求項５】
前記矯正用ファンデーションは、ベルト状に構成されたウエストニッパーとされており、
前記ウエストニッパーでは、
前記着脱部における一方の端部側に前記圧迫部が配置され、
前記着脱部の他方の端部近傍から前記圧迫部の基端部を連結する伸縮ベルト部が形成されていることを特徴とする請求項１に記載の矯正用ファンデーション。
【発明の詳細な説明】
【技術分野】
【０００１】
本発明は、たとえば産後期等における女性の腹部の形を整えるための矯正用ファンデーションに関する。
【背景技術】
【０００２】
妊娠から出産までの間女性の腹部には胎児の成長に伴っていわゆる妊娠脂肪がつき、胎児を保護するようになっている。また出産直後は子供の頭の大きさにも匹敵する大きさとなる子宮は、短期間の間に、通常の鶏卵の大きさくらいまで収縮する。このためこの産褥期の間に腹部を自由にすると、妊娠脂肪に伴ういわゆる妊娠肥満を引き起こす原因になる恐れがある。
この妊娠脂肪は出産直後から約６ヶ月以内であれば流動性があり、このため出産直後から腹部を引き締め、妊娠脂肪を散らして子宮の収縮を助けて、体形を整えるものとして、ガードルやウエストニッパー等が用いられている。
特に出産後１ヶ月程度は子宮を収縮させるために、さらには妊娠／出産に伴って変化した体形を補正するために腹部を圧迫する必要がある。このため腹部を引き締めるためのニッパー付きのガードルが提案されている（たとえば特許文献１）。
【０００３】
【特許文献１】実開平７−４０７１４号公報（第２頁，第３頁、図１，図２）
【発明の開示】
【発明が解決しようとする課題】
【０００４】
特許文献１では、これらのガードルやニッパーは、腹部を圧迫するための腹部当接部を完全に伸縮性を有しない構成としてしまうと、体形の凹凸の曲面や装着時の身体の動きなどに対応することができず、装着状態を維持することが困難であり、腹部当接部に若干の伸縮性を持たせてあるために、十分な腹部への圧迫ができない。
また腹部当接部は比較的伸縮性が無い構成とされていることで、たとえば使用者が前屈みになるなどの動きを行いにくいという問題があった。
そこで本発明は上記課題を解消し、使用者の腹部を引き締める際に確実に引き締めることができると共に、使用者がたとえば前屈みになる際などの動作において圧迫感を低減して装着感を向上させることができる矯正用ファンデーションを提供することを目的としている。
【課題を解決するための手段】
【０００５】
第１の発明の構成によれば、矯正用ファンデーションの腹部本体は、少なくとも腹部から腰部にかけての領域を、装着状態において円筒状に覆うものである。この腹部本体の着脱部は、着脱する際に腹部本体の円筒状を形成／解除可能な部分である。腹部本体の圧迫部は、腹部本体の腹部当接面に配置されている。
圧迫部の圧迫本体部は、若干の伸縮性を有して圧迫部の全体を覆っている。圧迫部のベルト部は、装着状態における左右方向に向かうように配置されている。このベルト部は、実質的に伸縮性を有さずに左右方向に向かう脆弱部を有している。
これにより、矯正用ファンデーションを用いて使用者の腹部を引き締める際には、実質的に伸縮性の無いベルト部が確実に腹部を引き締めることができる。しかも、ベルト部は左右方向に延びる脆弱部を有している。このために使用者がたとえば前屈みになる際などの動作において圧迫感を低減することができる。しかもベルト部はこの脆弱部を設けることにより通気性やフィット性を高めることができる。これによって、矯正用ファンデーションは確実に引き締めを行えると共に、使用者における装着感を向上している。
【０００６】
第２の発明の構成によれば、ベルト部は、ベルト部の両端において圧迫本体部の両側縁に沿って本体部の他の素材と一体に縫合されている。
これにより、ベルト部は他の素材に対して一体に縫合されていることから、ベルト部の基部は伸縮性が弱まった状態となり、ベルト部の圧迫機能を確実に発揮することができる。
【０００７】
第３の発明の構成によれば、圧迫本体部は、少なくとも皮膚当接層と外層の二層になっている。ベルト部における中間領域は、圧迫本体部の外層に縫合されている。
これにより、ベルト部の中間領域は皮膚当接層に縫合されていないために、縫合された部位の硬さを使用者が感じることは無い。さらに外層に固定されたベルト部による圧迫を行いながらも、皮膚当接層は自由状態になっていることから、皮膚当接層は使用者の小さな動きに対してフィットすることができ、使用者の装着感を良くしている。
【０００８】
第４の発明の構成によれば、ベルト部は、圧迫部における下方領域に配置されている。
これにより、出産や加齢等による女性の体形の変化では下腹部の変化が大きく、腹部本体の圧迫部は、下腹部を圧迫する必要性が高く実際は使用者の臍よりも下側に配置して、最も圧迫すべき下腹部をより強く圧迫することができるようになる。胃等に対応した圧迫部における上方領域は圧迫本体部の圧迫力だけに止め、ベルト部による不要な圧迫は行わないですむ。
【０００９】
第５の発明の構成によれば、矯正用ファンデーションはベルト状に構成されたウエストニッパーである。このウエストニッパーの着脱部における一方の端部側には圧迫部が配置されている。伸縮ベルト部は、着脱部の他方の近傍から圧迫部の基端部を連結するように形成されている。
これにより、通常用いられている平面的なベルト状のウエストニッパーでは、使用者がウエストニッパーを装着する場合の位置の規定が行いにくく装着しづらい。しかし本発明のウエストニッパーは、伸縮ベルト部を用いてほぼ腹巻状の構成となっていて、ウエストニッパーは使用者に対して位置決めした上で、その上から圧迫部を着脱部で装着して、確実に腹部を圧迫することができる。
【発明の効果】
【００１０】
以上説明したように、本発明によれば、使用者の腹部を引き締める際に確実に引き締めることができると共に、使用者がたとえば前屈みになる際などにおいて圧迫感を低減して装着感を向上させることが容易になる。
【発明を実施するための最良の形態】
【００１１】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１２】
図１は、本発明の矯正用ファンデーションの好ましい実施形態を示すウエストニッパーの前側から見た斜視図である。図２は、図１に示すウエストニッパーの構造を示す展開図である。
図１と図２に示すウエストニッパー１０は、圧迫部２３の圧迫本体部３０とベルト部４０により腹部１１を確実に引き締めて、腹部の形を整えるのに用いられる。図１では、使用者Ｈの腹部１１と腰部１２に対してウエストニッパー１０が装着されている状態を示している。このウエストニッパー１０は、腹部１１に圧迫を加えるために、腹部本体２０を有している。この腹部本体２０は、少なくとも腹部１１から腰部１２にかけて着脱可能に円筒状に覆うためのものである。
腹部本体２０には、着脱部２１と圧迫部２３が形成されている。着脱部２１は、着脱を行うに当って腹部本体２０の円筒状を形成、あるいは解除するための部分である。圧迫部２３は、腹部本体２０の腹部当接面に配置された部分である。
【００１３】
図１に示すように、圧迫部２３は、圧迫本体部３０とベルト部４０を有している。
図１と図２に示す圧迫本体部３０は、従来のウエストニッパーと同等となる若干の伸縮性を有していて圧迫部２３の全体を覆っている。
ベルト部４０は、図１に示すような装着状態において左右方向Ｔに沿って延びるように配置されている。このベルト部４０は、実質的に伸縮性を有さずに左右方向Ｔに向かうように形成された脆弱部４１を有している。ベルト部４０は、伸縮性の無い織物や組物、合成皮革、皮革等により作られている。
【００１４】
図３は、図１のウエストニッパーにおけるＡ−Ａ線における圧迫本体部３０とベルト部４０などを示す断面構造例を示している。圧迫本体部３０は、少なくとも皮膚当接層５０と外層５１の二層構造になっている。
皮膚当接層５０は、使用者の皮膚側に最も近い位置側にある内側の層である。皮膚当接層５０は、腹部１１へのフィット性を高め、弱い圧迫を与えられるよう、たとえば伸縮性および引っ張り力の強いナイロン製のパワーネットなどを使用することができる。外層５１は、レース地５２と身生地５３の積層構造であって、身生地５３は皮膚当接層５０と同様の素材が使用されている。身生地５３と皮膚当接層５０の間には、ベルト部４０が配置されている。平ゴム５４は、腹部１１側における圧迫本体部３０の上下両端で皮膚当接層５０、外層５１を縫合により固定する。ベルト部４０における中間領域は、圧迫本体部３０の外層５１に縫合されている。
【００１５】
図１に戻ると、ベルト部４０は、複数本、ここでは４本のベルト４０Ａを有している。このベルト４０Ａは、左右方向Ｔに沿って脆弱部４１を分けるようにして平行に設けられている。ベルト部４０は、圧迫部２３の下方領域５６に配置されている。
ベルト部４０の各ベルト４０Ａの両端は、圧迫本体部３０の一方の側縁６１と他方の側縁６２に沿って、腹部本体２０の他の素材と一体になって縫合されている。
図４は、図１の部分Ｅの縫合の構造例を示している。図４において、ベルト部４０のベルト４０Ａの端部は、脇部１０Ａの身生地に対して圧迫本体部３０のレース地５２と身生地５３とともに縫合されている。ベルト４０Ａの端部と脇部１０Ａの身生地との縫合部には、ボーンループ６５とボーン６６が設けられている。ボーンループ６５はボーン６６を覆う部材である。ボーン６６は、図１に示すように圧迫部２３の側縁６２において左右方向Ｔとはほぼ垂直な上下方向Ｌに沿って形成されている。しかし本実施の形態においては側縁６１にはボーンは設けられていないが、たとえボーンが無い場合であっても、脇部１０Ａや皮膚当接層５０等と一体に縫合されており、ベルト４０Ａの端部が縫合された側縁は比較的強く、伸縮性を有さない状態となり、ベルト４０Ａの基部を確実に保持できる。
【００１６】
図１と図２に示すベルト４０Ａは、伸縮性の無い織物等により作られている。伸縮性の無い織物としては、たとえば非伸縮性のナイロンを織ったものを使用することができる。ベルト４０Ａは、たとえば繊維自体の伸びの無いもので糸の太さが太く、織り方が細かく織り方がきつくなっている素材等を使用することができる。
図１に示す各脆弱部４１は、各ベルト４０Ａの間に形成されている。本実施の形態において、この脆弱部４１は、ベルト４０Ａが存在しない部分である。つまり各ベルト４０Ａを間隔をあけて配置することにより、脆弱部４１が形成できる。この脆弱部４１をベルト部４０に設けることにより、たとえば使用者Ｈが前屈みになる際などの動作において、身体への圧迫感を低減するとともに、身体への通気性やフィット性を高めて、装着感を良くしている。なお、脆弱部としては、このように複数のベルト部を間隔を空けて配置する構造だけでなく、実質的に伸縮性を有さない一枚のシート体に、左右方向Ｔに向かってスリットや開口、エンボス等によって、上下方向Ｌへの変形性を高めた構成としてもよく、また、編物等の伸縮性を有する材料を配置することで形成してもよい。
【００１７】
図２に示す着脱部２１は、一方の端部７１と他方の端部７２を有している。一方の端部７１には複数のフック７３が等間隔で設けられている。他方の端部７２には、掛止具７４が設けられている。掛止具７４は、図２の例では３列設けられていて、３列の掛止具７４は左右方向Ｔに沿って平行である。各掛止具７４は、フック７３に対応した位置にある。
これによって、フック７３を所望の列の掛止具７４に引っ掛けることにより、左右方向Ｔの長さを調整して使用者Ｈは圧迫部２３による腹部の締め付け力を調整することができる。なお、フック７３と掛止具７４ではなく、面テープ等の係合手段としてもよい。
【００１８】
図２と図３に示す圧迫部２３は、着脱部２１におけるフック７３が設けられ、腹部１１とは逆側の面となる一方の端部７１側に配置されている。
これに対して、伸縮ベルト部８０は、図２に示すように、着脱部２１の他方の端部７２の近傍から圧迫部の基端部８１を連結するように形成されている。この伸縮ベルト部８０は、たとえば伸縮性を有し、身体へのフィット性が高いナイロン製のパワーネットやサテンネット等を用いることができる。伸縮ベルト部８０は、図３と図２に示すようにウエストニッパー１０の内側に配置されている。
伸縮ベルト部８０は、図１に示すように使用者がウエストニッパー１０を装着する際に、あらかじめ使用者Ｈの腹部１１と腰部１２を脇部１０Ａと伸縮ベルト部８０の間に入れる、つまり、腹巻状とされた中に身体を入れて装着することで、伸縮ベルト部８０は使用者Ｈの規定の位置に、ウエストニッパー１０を仮に位置決めをすることができる。
【００１９】
その位置決めをした後に、使用者Ｈは図２に示すフック７３をいずれかの位置の掛止具７４に対してそれぞれ止めることにより、確実に腹巻状になるようにウエストニッパー１０を巻いて装着することができる。
これによってウエストニッパー１０は、腹部１１から腰部１２にかけて確実に圧迫することができるのである。
このような伸縮ベルト部８０をあらかじめ設けることにより、通常の単純なベルト状のウエストニッパーに比べて、使用者はウエストニッパーの位置の規定が行いやすく、身体への装着しやすさを向上することができる。
【００２０】
図２において、ウエスト指示マーカ８５が脇部１０Ａの内面側と伸縮ベルト部８０の間に配置されている。このウエスト指示マーカ８５は、たとえば圧迫部の基端部８１から着脱部２１の他方の端部７２にかけて設けられた帯状の部材である。このウエスト指示マーカ８５が設けられていることにより、使用者Ｈはウエストニッパー１０を装着する際にウエスト指示マーカ８５を腰とウエストのくびれの部分に合わせれば、ウエストニッパー１０を確実な位置に位置決めすることができる。
図２に示すように、複数本のボーン８７が脇部１０Ａにおいて上下方向Ｌにほぼ沿って複数設けられている。
【００２１】
次に、図１と図２に示すウエストニッパー１０の装着使用例について説明する。
まず使用者Ｈは、図２に示すようにフック７３と掛止具７４の係合を外した状態で、脇部１０Ａと伸縮ベルト部８０の間に腹巻状に腰部１２と腹部１１を通す。ウエスト指示マーカ８５が腹部１１のくびれ部分に対応するように、使用者Ｈがウエストニッパー１０を上下方向Ｌに沿って位置決めする。この時、ベルト部４０は使用者Ｈの臍下に位置する。
【００２２】
次に、図２のフック７３を使用者Ｈの体形に合った位置の掛止具７４に対して掛けることにより、図１に示すように圧迫部２３が腹部１１を引き締める際に、ベルト部４０の各ベルト４０Ａが腹部１１の特に下腹部を引き締めるようにすることができる。
このような腹部１１を引き締めた状態で、使用者Ｈがたとえば前屈みになる際などの動作においては、脆弱部４１が各ベルト４０Ａの間に設けられていることから、その圧迫感を低減しながら前屈み動作を行うことができる。しかもこの脆弱部４１が設けられることで、身体への通気性を高め、ベルト部４０のフィット性も高めることができる。この結果として使用者Ｈに対するウエストニッパー１０の装着感を向上している。
【００２３】
次に、図５と図６を参照して、本発明の矯正用ファンデーションの別の実施形態について説明する。
図５と図６に示す矯正用ファンデーションの別の実施形態は、ガードル１００である。このガードル１００は、実質的に腹部の体形補正を目的としているため、図１と図２に示すウエストニッパー１０の構造に似ている。つまり、ウエストニッパー１０と異なり、股下の構成が設けられているものの、腹部に対応した部位における構造は類似している。
ガードル１００は、図５において腹部本体１２０を有している。この腹部本体１２０には、着脱部１２１と圧迫部１２３が形成されている。この例では着脱部１２１はファスナを採用しており、スライダ１２１Ａを有している。
着脱部１２１は、腹部本体１２０の円筒状を形成したり解除することができる。これによって、使用者Ｈはガードル１００を装着したり脱いだりするのが容易になる。
【００２４】
圧迫部１２３は腹部本体１２０の腹部面に配置され、圧迫本体部１３０とベルト部１４０を有している。圧迫本体部１３０は、従来のガードルにおける腹部と同等の若干の伸縮性を有していて圧迫部１２３の全体を覆っている。ベルト部１４０は、複数本のベルト１４０Ａを有している。複数本のベルト１４０Ａの間には、脆弱部１４１を有している。このベルト１４０Ａと脆弱部１４１は、装着時における左右方向Ｔに沿って形成されている。各ベルト１４０Ａの一端部と他端部は、一方の側縁１６１と他方の側縁１６２側にそれぞれ腹部本体１２０の他の素材と一体になるように縫合されて固定されている。
【００２５】
図５に示すように、着脱部１２１のファスナ１２２の内側には、フック１７３と掛止具１７４が設けられている。フック１７３を掛止具１７４による仮止め手段で先に仮止めすることにより、ファスナ１２２による腹部本体１２０の締め付け動作を容易にしている。
上述した側縁１６１，１６２にはそれぞれボーン１６３が設けられている。このボーン１６３は、ほぼ上下方向Ｌに沿って形成されているが、これらのボーン１６３，１６３を設けることにより、たとえば前かがみになった際等に、腹部本体１２０の圧迫本体部１３０の上縁部分１３０Ｒが下方にめくれるのを防ぐことができる。
【００２６】
図６に示すように、ガードル１００の背面部分には、腰サポート部２００が設けられている。腰サポート部２００には、ほぼ上下方向Ｌに沿って２本のボーン２０１が配置されて腰部への負担を低減している。その他に、ガードル１００は、斜線で表示している伸縮時における強い反発力を有し、体形補正を補助するパワーネット２０２，２０３，２０４を有している。パワーネット２０２は、ガードル１００の上縁に沿って、圧迫部１２３から腰サポート部２００の付近にかけて斜め上方に向かうよう設けられており、腹部を引き上げるよう配置されている。パワーネット２０３は、腹部１１から腰部１２にかけて斜め上方に向かうよう設けられ、下腹部を引き上げるよう配置されている。もう１つのパワーネット２０４は、下腹部から斜め下方に延びて臀部１３の下側に回り込むよう設けられており、臀部１３を下側から引き上げるよう配置されている。図６に示すようにゴムギャザー２１０が腰サポート部２００の下部において上下方向Ｌに沿って形成されて、臀部１３の形状に沿ってフィットするよう配置されている。
【００２７】
このガードル１００を使用する場合には、使用者Ｈはファスナ１２２を開けて、フック１７３と掛止具１７４の係合を外した状態で、ガードル１００を装着する。その後フック１７３を掛止具１７４に掛けた後にファスナ１２２のスライダ１２１Ａを持ち上げることにより、ガードル１００は確実に装着できる。
このように装着した状態では、圧迫部１２３により腹部１１を引き締める際に、ベルト部１４０の各ベルト１４０Ａが確実に下腹部を引き締めることができる。
ベルト部１４０Ａの間には、脆弱部１４１が設けられていることから、たとえば使用者Ｈが前屈みになる際などにおいて、身体への圧迫感を低減するとともに、身体への通気性やフィット性を高めて装着感を良好にしている。ベルト１４０Ａの一端部と他端部は、圧迫部１２３の側縁１６１，１６２において、他の素材に対して縫合しているので、ベルト１４０Ａの圧迫機能を確実に発揮することができる。
【００２８】
しかも各ベルト１４０Ａは、圧迫部１２３の下方領域１５６に配置されていることから、最も圧迫すべき下腹部をより強く圧迫することができる。圧迫部１２３の上方領域には圧迫本体部１３０の圧迫のみに止めて、不要な圧迫は行わず、たとえば胃を圧迫しないなどの配慮をしている。
【００２９】
たとえば、ガードルの場合には、股下が浅いものや、上端がベルト部１４１の上縁程度までの比較的短いパンツ状の構成としてもよい。ウエストニッパーの場合には、伸縮ベルト部８０が設けられていない一本のベルトタイプとされていてもよく、さらに圧迫部２３でウエストニッパーの両端部７１，７２を重ねることで、腹部への圧迫を行う構成としてもよい等、従来知られているリフォーム用ファンデーションについて、各種構造のものに採用することができる。
【００３０】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
【図面の簡単な説明】
【００３１】
【図１】本発明の矯正用ファンデーションの好ましい実施形態であるウエストニッパーを示す正面から見た斜視図。
【図２】図１のウエストニッパーの展開図。
【図３】図１のウエストニッパーのＡ−Ａ線における断面構造例を示す図。
【図４】図１のウエストニッパーの部分Ｅの構造例を示す図。
【図５】本発明の矯正用ファンデーションの別の実施形態であるガードルの例を示す正面側から見た斜視図。
【図６】図５のガードルの背面側から見た斜視図。
【符号の説明】
【００３２】
１０・・・ウエストニッパー（矯正用ファンデーション）、２０・・・腹部本体、２１・・・着脱部、２３・・・圧迫部、３０・・・圧迫本体部、４０・・・ベルト部、４０Ａ・・・ベルト、４１・・・脆弱部、５０・・・皮膚当接層、８０・・・伸縮ベルト部、７１・・・着脱部の一方の端部、７２・・・着脱部の他方の端部、Ｈ・・・使用者、Ｔ・・・左右方向
【図１】
2006037301.tif 000003
【図２】
2006037301.tif 000004
【図３】
2006037301.tif 000005
【図４】
2006037301.tif 000006
【図５】
2006037301.tif 000007
【図６】
2006037301.tif 000008